(57)【特許請求の範囲】
【請求項１】
ベースパネルの左右両側辺の前後両端部に脚体が配設され、前記ベースパネルは、左右両側辺の前後方向の奥行き材と当該両奥行き材間に架設された複数本の間口材とから成る骨枠と、当該骨枠上に敷設されて荷支持面を構成するメッシュ構造体とから成る荷運搬用パレットのベースパネルの製造方法であって、骨枠の各間口材の両端には嵌合部を突設すると共に、両奥行き材には、前記嵌合部が一定深さだけ嵌合し得る被嵌合部を設けておき、両奥行き材と各間口材とを、両者の嵌合部と被嵌合部とを嵌合させて両奥行き材間の間隔が各間口材の長さで規制されるだけの状態に組み立て、この状態で４つの脚体を、平面視において当該脚体に隣接するか又は重なる間口材と奥行き材とに溶接することにより、各脚体に隣接するか又は重なる間口材と両奥行き材とは各脚体を介して連結一体化するが、前後の脚体間に配置された中間間口材は奥行き材とは溶接しないで骨枠を製造し、この骨枠の上に配置したメッシュ構造体を、少なくとも各間口材に溶接することを特徴とする、荷運搬用パレットのベースパネル製造方法。
【請求項２】
骨枠の各間口材は、長さ方向に沿った平行両側板部を有する断面溝形のもので、前記嵌合部は、前記平行両側板部から一体に延出する一対の舌片から成り、前記奥行き材の被嵌合部は、前記一対の舌片が差し込まれる一対のスリットから構成する、請求項１に記載の荷運搬用パレットのベースパネル製造方法。
【請求項３】
骨枠の間口材として、ベースパネルの前後両端部にそれぞれ２本ずつ配置された４本の間口材と、少なくとも１本の中間間口材とが配置し、各脚体には、ベースパネルの前後両端部に配置された前後２本の間口材間に上向きに嵌合して当該前後２本の間口材と奥行き材とに接する突出部を設け、各脚体の少なくとも前記突出部を、当該突出部に接する前後２本の間口材及び奥行き材に溶接することを特徴とする、請求項１又は２に記載の荷運搬用パレットのベースパネル製造方法。
【発明の詳細な説明】
【技術分野】
【０００１】
本発明は、骨枠の上にメッシュ構造体を敷設したベースパネルの左右両側辺の前後両端部に脚体が配設された荷運搬用パレットのベースパネル製造方法に関するものである。
【背景技術】
【０００２】
荷運搬用パレットのベースパネルとして、左右両側辺の前後方向の奥行き材と当該両奥行き材間に架設された複数本の間口材とから成る骨枠上に荷支持面を構成するメッシュ構造体を敷設して成るものが、例えば特許文献１などによって知られている。従来のこの種の荷運搬用パレットのベースパネルは、溝形材などから成る奥行き材と各間口材とのＴ形接合部で両者を溶接することにより骨枠を組み立て、この骨枠の上にメッシュ構造体を載せて両者の接点を電気抵抗溶接により固着し、各脚体は、前記骨枠の奥行き材と間口材とに溶接することにより取り付けていた。
【特許文献１】特開２００５−４７５７５号公報
【発明の開示】
【発明が解決しようとする課題】
【０００３】
上記のような従来の荷運搬用パレットのベースパネルでは、メッシュ構造体の溶接による取り付けと４つの脚体の溶接による取り付けとを行う前に、２本の奥行き材と少なくとも３本以上の間口材との間の最低６箇所のＴ形接合部における溶接作業により骨枠を組み立てておく必要があり、ベースパネルの組み立てに多大の溶接コストがかかるものであった。
【課題を解決するための手段】
【０００４】
本発明は上記のような従来の問題点を解消し得る荷運搬用パレットのベースパネル製造方法を提供することを目的とするものであって、その特徴を後述する実施形態の参照符号を付して示すと、ベースパネル１の左右両側辺の前後両端部に脚体１２が配設され、前記ベースパネル１は、左右両側辺の前後方向の奥行き材１６ａ，１６ｂと当該両奥行き材１６ａ，１６ｂ間に架設された複数本の間口材１７ａ〜１７ｅとから成る骨枠１４と、当該骨枠１４上に敷設されて荷支持面を構成するメッシュ構造体１５とから成る荷運搬用パレットのベースパネルの製造方法であって、骨枠１４の各間口材１７ａ〜１７ｅの両端には嵌合部（舌片２７ａ）を突設すると共に、両奥行き材１６ａ，１６ｂには、前記嵌合部（舌片２７ａ）が一定深さだけ嵌合し得る被嵌合部（スリット２５ａ）を設けておき、両奥行き材１６ａ，１６ｂと各間口材１７ａ〜１７ｅとを、両者の嵌合部（舌片２７ａ）と被嵌合部（スリット２５ａ）とを嵌合させて両奥行き材１６ａ，１６ｂ間の間隔が各間口材１７ａ〜１７ｅの長さで規制されるだけの状態に組み立て、この状態で４つの脚体１２を、平面視において当該脚体１２に隣接するか又は重なる間口材１７ａ，１７ｂ，１７ｄ，１７ｅと奥行き材１６ａ，１６ｂとに溶接することにより、各脚体に隣接するか又は重なる間口材１７ａ，１７ｂ，１７ｄ，１７ｅと両奥行き材１６ａ，１６ｂとは各脚体１２を介して連結一体化するが、前後の脚体１２間に配置された中間間口材１７ｃは奥行き材１６ａ，１６ｂとは溶接しないで骨枠１４を製造し、この骨枠１４の上に配置したメッシュ構造体１５を、少なくとも各間口材１７ａ〜１７ｅに溶接することを特徴とする。
【０００５】
上記構成の本発明を実施するについて、具体的には請求項２に記載のように、骨枠１４の各間口材１７ａ〜１７ｅは、長さ方向に沿った平行両側板部２６ａ，２６ｂを有する断面溝形のもので構成し、前記嵌合部は、前記平行両側板部２６ａ，２６ｂから一体に延出する一対の舌片２７ａ，２７ｂから構成し、前記奥行き材１６ａ，１６ｂの被嵌合部は、前記一対の舌片２７ａ，２７ｂが差し込まれる一対のスリット２５ａ，２５ｂから構成することができる。
【０００６】
又、請求項３に記載のように、骨枠１４の間口材１７ａ〜１７ｅとして、ベースパネルの前後両端部にそれぞれ２本ずつ配置された４本の間口材１７ａ，１７ｂ，１７ｄ，１７ｅと、少なくとも１本の中間間口材１７ｃとを配置し、各脚体１２には、ベースパネル１の前後両端部に配置された前後２本の間口材間（１７ａ，１７ｂ間と１７ｄ，１７ｅ間）に上向きに嵌合して当該前後２本の間口材（１７ａ，１７ｂ及び１７ｄ，１７ｅ）と奥行き材１６ａ，１６ｂとに接する突出部３４を設け、各脚体１２は、少なくとも前記突出部３４と当該突出部３４に接する前後２本の間口材（１７ａ，１７ｂ及び１７ｄ，１７ｅ）及び奥行き材１６ａ，１６ｂとの溶接により取り付けることができる。
【発明の効果】
【０００７】
上記構成の本発明に係る荷運搬用パレットのベースパネルの製造方法によれば、４つの脚体を溶接で骨枠に取り付けるとき、骨枠を構成する左右両側の奥行き材と各間口材とは、両者の嵌合部と被嵌合部とを嵌合させて両奥行き材間の間隔が各間口材の長さで規制されるだけの状態に組み立てられているだけであって、この状態の骨枠に対して４つの脚体を、平面視において当該脚体に隣接するか又は重なる間口材と奥行き材とに溶接することにより、少なくともベースパネルの前後両端付近にある間口材と左右両側の奥行き材とが脚体を介して一体に固着され、脚体に溶接されない中間間口材など他の間口材は左右両奥行き材間に挟まれて位置決めされる。そして最後にこの骨枠の上に載置されて各間口材と溶接されるメッシュ構造体により、奥行き材に溶接されていない間口材も前記メッシュ構造体と脚体に溶接されている間口材とを介して奥行き材に固着一体化される。従って、ベースパネルの骨枠を組み立てるために奥行き材と各間口材とを溶接する必要が無くなり、４つの脚体を備えたベースパネルの製造コストを大巾に削減できる。しかも、脚体を介して奥行き材に固着一体化されていない間口材も最終的にはメッシュ構造体を介して奥行き材に固着一体化されるので、使用時にガタつくようなことも無い。
【０００８】
尚、請求項２に記載の構成によれば、各間口材に必要な嵌合部を簡単容易に構成することができ、しかも奥行き材の一対のスリットに間口材の一対の舌片を差し込んで間口材を安定的に位置決めすることができる。又、請求項３に記載の構成によれば、各脚体の突出部を前後２本の間口材と奥行き材との間に形成される凹部に嵌合させて完全に位置決めした状態でこれら前後２本の間口材と奥行き材とに溶接することができるので、脚体の巾を狭くしても、当該脚体をベースパネルの骨枠に安定的に固着一体化することができ、同時に骨枠の強度アップも図ることができる。
【発明を実施するための最良の形態】
【０００９】
以下に本発明の具体的実施例を添付図に基づいて説明すると、図１及び図２において、１はベースパネル、２，３はベースパネル１の左右両側辺から起立する左右両側パネル、４はベースパネル１の後側辺から起立する背パネル、５はベースパネル１の前側辺から起立する扉パネルである。左右両側パネル２，３は、その後側辺が背パネル４の左右両側辺に、この背パネル４の左右両側辺に沿った回転軸心を持つコイルヒンジ６，７により揺動自在に連結され、背パネル４は、その内向き折曲部４ａの先端辺でベースパネル１に、当該内向き折曲部４ａの先端辺に沿った回転軸心を持つコイルヒンジ８により揺動自在に連結され、扉パネル５は、その下辺がベースパネル１の前側辺に、このベースパネル１の前側辺に沿った回転軸心を持つコイルヒンジ９により揺動自在に連結されている。又、この図示例では、扉パネル５は水平回転軸心を持つコイルヒンジ１０により互いに揺動自在に連結された下半部５ａと上半部５ｂとから構成され、各扉パネル下半部５ａと上半部５ｂとは、左右両側パネル２，３の前側辺間を閉じる閉じ位置でロック手段１１により左右両側パネル２，３の前側辺に係止される。
【００１０】
上記構成の箱型パレットは、ロック手段１１を解除して扉パネル５をベースパネル１の上に重ねるように折り畳み、左右両側パネル２，３を背パネル４の内側にそれぞれ重ねるように折り畳み、最後に背パネル４をその内側に重ねられた左右両側パネル２，３と共にベースパネル１の上に重ねるように折り畳むことにより、嵩低くすることができるものである。
【００１１】
ベースパネル１の左右両側辺の前後両端下側には、脚体１２が付設されている。これら４つの脚体１２は、ベースパネル１の下側にフォークリフトのフォークを差し入れる空間を形成すると共に、この箱型パレットを段積みするとき、下段のパレットの左右両側パネル２，３の上辺の前後両端部に嵌合して、上下の箱型パレットが前後左右に位置ずれするのを防止するための下側開放の嵌合部１２ａと、床置き時に前記嵌合部１２ａの内側で着床する接地部１２ｂとを備えている。更に、この箱型パレットのベースパネル１の左右両側辺の前後両端部には、折り畳みパレット段積み用支持部１３が設けられている。これら４つの折り畳みパレット段積み用支持部１３は、具体的には各脚体１２から上向きに連設して、左右両側パネル２，３の外側に配置したものであって、上記のように各パネル２〜５をベースパネル１上に重ねるように折り畳んだパレットを段積みするとき、上段パレットの各脚体１２を嵌合部１２ａにおいて支持するものである。
【００１２】
ベースパネル１の構成を具体的に説明すると、図３に示すように、ベースパネル１は骨枠１４とメッシュ構造体１５とから構成されている。骨枠１４は、ベースパネル１の左右両側辺に配置された奥行き材１６ａ，１６ｂと、両奥行き材１６ａ，１６ｂ間に架設された左右方向の間口材１７ａ〜１７ｅとから構成されている。メッシュ構造体１５は、格子状に配列された下側の前後方向線材１８と上側の左右方向線材１９とが両者の交叉部において互いに電気抵抗溶接されることにより構成されたものであり、骨枠１４の左右両側の奥行き材１６ａ，１６ｂ間において間口材１７ａ〜１７ｅ上に敷設固着されている。而して、扉パネル５の下側辺は、メッシュ構造体１５の前側辺に位置する左右方向線材１９ａにコイルヒンジ９により連結され、背パネル４の内向き折曲部４ａの先端辺は、メッシュ構造体１５の後側辺から２番目の左右方向線材１９ｂにコイルヒンジ８により連結される。
【００１３】
骨枠１４の奥行き材１６ａ，１６ｂは、図８及び図９に示すように、左右両側板部２０ａ，２０ｂと両側板部２０ａ，２０ｂの上端間をつなぐ上板部２１とを有する下側開放の型材から構成されたもので、外側板部２０ａには、補強のために中間高さにおいて内側に突曲するリブ２２と、下側辺から内側に折曲する折曲片２３とが、それぞれ全長にわたって一体形成され、上板部２１の内側辺（メッシュ構造体１５が敷設される側の側辺）には、側パネル位置決め用突出部２４が当該上板部２１の曲げ加工により全長にわたって一体形成され、左右両側パネル２，３の下辺は、この奥行き材１６ａ，１６ｂの側パネル位置決め用突出部２４と前記折り畳みパレット段積み用支持部１３との間で当該奥行き材１６ａ，１６ｂの上板部２１で支持される。
【００１４】
又、奥行き材１６ａ，１６ｂには、内側板部２０ｂの各間口材１７ａ〜１７ｅに対応する箇所において、それぞれ２本一組のスリット２５ａ，２５ｂが被嵌合部として設けられている。一方、各間口材１７ａ〜１７ｅは、平行両側板部２６ａ，２６ｂと底板部２６ｃとを備えた上側開放の溝形材から成るもので、その長さ方向の両端には、奥行き材１６ａ，１６ｂの２本一組のスリット２５ａ，２５ｂに差し込み可能な舌片２７ａ，２７ｂが嵌合部として平行両側板部２６ａ，２６ｂの端縁から突設されている。
【００１５】
各脚体１２は、図４〜図７に示すように、前記嵌合部１２ａと接地部１２ｂとを形成する脚底板材３０と、この脚底板材３０の上側に連設されて横外向きに開放する平面コ字形の柱状部材２８と、この柱状部材２８の横外向き開放部を閉じるように当該柱状部材２８と脚底板材３０の外端部上との間の入り隅部に溶接により付設された垂直部材２９とから構成され、この垂直部材２９がベースパネル１の奥行き材１６ａ，１６ｂより上方に延出して前記折り畳みパレット段積み用支持部１３を構成している。前記柱状部材２８は、前記脚底板材３０の内側辺から折曲連設された垂直板部２８ａと、当該垂直板部２８ａの両側辺から折曲連設された平行両側板部２８ｂ，２８ｃとから形成され、前記脚底板材３０と柱状部材２８とが１枚の板材の曲げ加工で構成されている。
【００１６】
前記垂直部材２９は、骨枠１４の奥行き材１６ａ，１６ｂの長さ方向と平行な板面を有する垂直板材から構成され、奥行き材１６ａ，１６ｂの上面より下側の部分に対して上側の部分が左右両側パネル２，３との干渉を避けるために外側に若干張り出すように、中間高さに屈曲部が設けられたもので、垂直荷重に対する座屈強度を高めるために、柱状部材２８より上側の部分の両側辺には内側に突出する円筒状の補強用リブ３１が形成されると共に、全高にわたって幅方向の略中央位置に外側に山形状に突出する補強用リブ３２が形成されたものである。又、垂直部材２９の両側辺の円筒状補強用リブ３１の一方は、当該垂直部材２９の上端から上方に突出して、この垂直部材２９が構成する折り畳みパレット段積み用支持部１３を利用して折り畳み状態のパレットを段積みしたとき、上段パレットの脚体１２の嵌合部１２ａが垂直部材２９の上端（折り畳みパレット段積み用支持部１３の上端）から前後方向に外れるのを防止する段積み折り畳みパレット位置決め用突起３３を構成している。
【００１７】
上記構成の脚体１２における柱状部材２８の巾は、骨枠１４の前側前後２本の間口材１７ａ，１７ｂ間及び後側前後２本の間口材１７ｄ，１７ｅ間の間隔と略同一であって、その上端の内側略半分の領域には、前側前後２本の間口材１７ａ，１７ｂ間又は後側前後２本の間口材１７ｄ，１７ｅ間に嵌まり込む突出部３４が形成され、垂直部材２９の中間屈曲部より下側で円筒状補強用リブ３１を備えている部分と前記突出部３４との間の柱状部材２８の上端（平行両側板部２８ｂ，２８ｃの上端）が奥行き材支持面２８ｄとなっている。尚、垂直部材２９は、柱状部材２８の横外向き開放部を閉じる部分を当該柱状部材２８の巾と略同一とし、これより上側の部分、即ち、両側辺に円筒状補強用リブ３１を備えている部分は、前記柱状部材２８の巾より両側に張り出すように巾広とすることにより、正面形状が倒立凸形に構成されている。
【００１８】
ベースパネル１の組み立てについて説明すると、先ず左右一対の奥行き材１６ａ，１６ｂ間に各間口材１７ａ〜１７ｅを、各間口材１７ａ〜１７ｅの両端の舌片２７ａ，２７ｂ（嵌合部）を奥行き材１６ａ，１６ｂに設けたスリット２５ａ，２５ｂ（被嵌合部）に差し込んで配置する。係る状態で４つの脚体１２を、それぞれの柱状部材２８の突出部３４を前側前後２本の間口材１７ａ，１７ｂ間と後側前後２本の間口材１７ｄ，１７ｅ間とに下側から嵌め込むと共に、それぞれの柱状部材２８の突出部３４と垂直部材２９との間に奥行き材１６ａ，１６ｂを嵌合させて当該奥行き材１６ａ，１６ｂを柱状部材２８の上端の奥行き材支持面２８ｄで支持させ、この各脚体１２の突出部３４を含む柱状部材２８と奥行き材１６ａ，１６ｂ及び間口材１７ａ，１７ｂ，１７ｄ，１７ｅとの接触境界部を溶接する。又、奥行き材１６ａ，１６ｂの外側面と各脚体１２の垂直部材２９（補強用円筒状リブ３１）との接触境界部を溶接する。尚、この脚体１２の溶接時に、当該脚体１２の柱状部材２８に隣接する位置で奥行き材１６ａ，１６ｂと間口材１７ａ，１７ｂ，１７ｄ，１７ｅとを直接溶接することも可能である。
【００１９】
以上にようにして４つの脚体１２（垂直部材２９を含む）を奥行き材１６ａ，１６ｂ及び間口材１７ａ，１７ｂ，１７ｄ，１７ｅに溶接することにより、この脚体１２を介して奥行き材１６ａ，１６ｂと間口材１７ａ，１７ｂ，１７ｄ，１７ｅとが互いに直角向きに固着連結され、４つの脚体１２を備えた骨枠１４が完成する。このとき中間の間口材１７ｃは、奥行き材１６ａ，１６ｂには固着されていない。次に、下側前後方向線材１８と上側左右方向線材１９とで予め組み立てられたメッシュ構造体１５を奥行き材１６ａ，１６ｂ間で各間口材１７ａ〜１７ｅの上に載置し、各下側前後方向線材１８と各間口材１７ａ〜１７ｅの平行両側板部２６ａ，２６ｂとの交叉部を電気抵抗溶接で互いに固着することにより、４つの脚体１２を備えたベースパネル１を完成させる。尚、奥行き材１６ａ，１６ｂには固着されていない中間の間口材１７ｃは、メッシュ構造体１５の各下側前後方向線材１８との溶接により、メッシュ構造体１５を介して骨枠１４に固着されたことになる。
【００２０】
ベースパネル１に対する各パネル２〜５は従来周知の如く組み付けられる。このようにして組み立てられた折り畳み自在な箱型パレットは、先に説明したように下段パレットの左右両側パネル２，３と上段パレットの４つの脚体１２（嵌合部１２ａ）とを利用して段積みしたり、各パネル２〜５をベースパネル１の上に重ねるように折り畳んだパレットを、下段パレットのベースパネル１から上向きに突出する４つの折り畳みパレット段積み用支持部１３（各脚体１２に連設の垂直部材２９）と上段パレットの４つの脚体１２（嵌合部１２ａ）とを利用して段積みすることができる。
【００２１】
尚、本発明によるベースパネルは、上記実施形態において示したような折り畳み自在なパレットにのみ適用できるものではなく、ベースパネルの周囲に立設された各パネルが折り畳みできない荷運搬用パレットや、ベースパネルの周囲に立設された各パネルが折り畳みできるが折り畳みパレット段積み用支持部１３は持たない構造の荷運搬用パレット、その他、ベースパネルの周囲にパネルが立設されない板状の荷運搬用パレットなどにも活用できるものである。更に、各脚体１２の構造やメッシュ構造体１５も上記実施形態で示したものに限定されない。例えば、特許文献１に示されるように、脚体が奥行き材と１本の間口材とのＴ形交叉部と平面視において重なるように配置されるものであっても良いし、メッシュ構造体が奥行き材１６ａ，１６ｂを含む骨枠１４の全域に重なるようなものであっても良い。
【図面の簡単な説明】
【００２２】
【図１】パレット全体を示す斜視図である。
【図２】パレットのベースパネル周囲の各パネルの折り畳み構造を説明する概略斜視図である。
【図３】脚体を備えたベースパネルの構成を説明する平面図であって、右半分はメッシュ構造体を省いた状態を示す平面図（一部拡大横断面図を含む）である。
【図４】Ａ図はベースパネルの脚体部分を外側から示す側面図、Ｂ図はベースパネルの脚体部分を内側から示す縦断側面図である。
【図５】図４Ａの正面図である。
【図６】図４Ａの一部切欠き平面図である。
【図７】折り畳みパレット段積み用支持部が連設された脚体の斜視図である。
【図８】図５の要部拡大縦断面図である。
【図９】ベースパネルの骨枠の構成部材を分解状態で示す要部の斜視図である。
【符号の説明】
【００２３】
１    ベースパネル
２，３    左右両側パネル
４    背パネル
５    扉パネル
１２    脚体
１２ａ    嵌合部
１２ｂ    接地部
１３    折り畳みパレット段積み用支持部
１４    ベースパネルの骨枠
１５    ベースパネルのメッシュ構造体
１６ａ，１６ｂ    骨枠の奥行き材
１７ａ〜１７ｅ    骨枠の間口材
１８，１９    メッシュ構造体の線材
２５ａ，２５ｂ    ２本一組のスリット（被嵌合部）
２７ａ，２７ｂ    一対の舌片（嵌合部）
２８    平面コ字形柱状部材
２８ｄ    奥行き材支持面
２９    垂直部材
３０    脚底板材
３４    柱状部材の突出部
【図１】
0004640110.tif 000002
【図２】
0004640110.tif 000003
【図３】
0004640110.tif 000004
【図４】
0004640110.tif 000005
【図５】
0004640110.tif 000006
【図６】
0004640110.tif 000007
【図７】
0004640110.tif 000008
【図８】
0004640110.tif 000009
【図９】
0004640110.tif 000010